(57)【要約】【課題】本発明は、極めて商品価値の高い画期的な連結装置並びに連結装置を用いた電子機器を提供することを目的とする。【解決手段】第一部材１と第二部材２とを上下重合状態に設ける連結装置であって、第一部材１に対して第二部材２を重合面方向に相対スライド自在に連結するスライド連結体５を具備したものである。【選択図】図１
2012248761.tif 000002
【特許請求の範囲】
【請求項１】
第一部材と第二部材とを上下重合状態に設ける連結装置であって、前記第一部材に対して前記第二部材を重合面方向に相対スライド自在に連結するスライド連結体を具備し、このスライド連結体の一端部に、前記第一部材と前記第二部材のいずれか一方に回動自在に固定連結する固定連結部を設けると共に、この一方に固定連結する固定連結部を支点に回動自在に設けた前記スライド連結体の他端部に、他方に設けたガイド部にスライド自在にして回動自在に連結するスライド連結部を設け、前記第一部材の上側に重合した状態でスライドする前記第二部材を、前記第一部材の所定位置までスライドさせた際、前記スライド連結体が前記固定連結部を支点に回動して前記第一部材に対して前記第二部材が旋回移動した後、前記第一部材と前記第二部材とが互いにスライド方向に直列に並設した状態で保持されるように、前記スライド連結体を介して前記第一部材に対して前記第二部材が回動自在に連結するリンク連結構成としたことを特徴とする連結装置。
【請求項２】
前記スライド連結体は、前記第一部材の上面を前記第二部材が隠蔽する重合閉塞状態から該第一部材の上面を露出する方向にスライドさせた際、前記第一部材に対して旋回移動する第二部材をリンク支持するリンク部材であり、このスライド連結体の一端部に第一連設部を設け他端部に第二連設部を設け、前記第一連設部を前記第一部材に直接若しくは該第一部材に設けた第一取付部に枢着し、前記第二連設部を前記第二部材に直接若しくは該第二部材に設けた第二取付部にスライド自在に枢着し、前記第一部材に対する前記第二部材のスライド相対移動に伴って、前記第二連設部が前記第二取付部に設けた前記ガイド部をスライドし、このガイド部のスライド端部に当接して前記第二連設部のスライドが停止した際、前記第二部材のスライドによって前記第二連設部を上方に押上げるように、前記第一連設部を支点として前記スライド連結体が回動して前記第一部材に対して前記第二部材が旋回移動した後、前記第一部材と前記第二部材とが互いにスライド方向に直列に並設した状態で保持されるように、前記スライド連結体を介して前記第一部材に対して前記第二部材が回動自在に連結するリンク連結構成としたことを特徴とする請求項１記載の連結装置。
【請求項３】
前記スライド連結体は、前記第一部材の上面を前記第二部材が隠蔽する重合閉塞状態から該第一部材の上面を露出する方向にスライドさせた際、前記第一部材に対して旋回移動する第二部材をリンク支持するリンク部材であり、このスライド連結体の一端部に第一連設部を設け他端部に第二連設部を設け、前記第一連設部を前記第一部材に直接若しくは該第一部材に設けた第一取付部にスライド自在に枢着し、前記第二連設部を前記第二部材に直接若しくは該第二部材に設けた第二取付部に枢着し、前記第一部材に対する前記第二部材のスライド相対移動に伴って、前記第一連設部が前記第一取付部に設けた前記ガイド部をスライドし、このガイド部のスライド端部に当接して前記第一連設部のスライドが停止した際、前記第二部材のスライドによって前記第二連設部を上方に押上げるように、前記第一連設部を支点として前記スライド連結体が回動して前記第一部材に対して前記第二部材が旋回移動した後、前記第一部材と前記第二部材とが互いにスライド方向に直列に並設した状態で保持されるように、前記スライド連結体を介して前記第一部材に対して前記第二部材が回動自在に連結するリンク連結構成としたことを特徴とする請求項１記載の連結装置。
【請求項４】
前記第一部材と前記第二部材とが互いにスライド方向に直列に並設した状態とした際、前記第一部材の端部と前記第二部材の端部とが当接若しくは近接する状態となるように前記スライド連結体の長さが設定されていることを特徴とする請求項１〜３のいずれか１項に記載の連結装置。
【請求項５】
前記第一連設部及び前記第二連設部夫々は、回動軸部を軸に互いに相対回動自在に設けられるカム部と、カム係合部とを有し、このカム部に設けた凸部とカム係合部に設けた凹部とが相対回動によって互いに係合付勢機構の付勢を伴い係合することでその回動位置が係合保持されるように構成した枢着連結構造であり、前記カム部に設けた第一の凸部が係合する第一の凹部を前記カム係合部に設け、前記第一の凸部と前記第一の凹部とが係合若しくは係合途中となるときに同様に係合若しくは係合途中となる第二の凸部と第二の凹部を前記カム部と前記カム係合部に設け、前記第一の凸部及びこれと係合する前記第一の凹部の相対回動軌跡位置を決定するこれらの形成位置の相対回動中心からの距離と、前記第二の凸部とこれと係合する前記第二の凹部の相対回動軌跡位置を決定するこれらの位置の相対回動中心からの距離とが異なるように設定して、前記第一，第二の双方の凸部と前記第一，第二の双方の凹部とは夫々係合若しくは係合途中となるが、前記カム部と前記カム係合部が相対回動した際、前記第一の凸部及び前記第二の凸部は前記第一の凹部及び前記第二の凹部には夫々落ち込まずに夫々の周辺を通過して係合しないように構成したことを特徴とする連結装置。
【請求項６】
前記第一の凸部及びこれと１８０度相対位置に設けた前記第二の凸部の形成位置と、前記第一の凹部及びこれと１８０度相対位置に設けた前記第二の凹部の形成位置との相対回動中心からの距離を異ならせて、前記第一，第二の双方の凸部と前記第一，第二の双方の凹部とが係合若しくは係合途中となるが、前記カム部と前記カム係合部が相対回動した際、前記第一の凸部と前記第二の凹部とはすれ違い、且つ、前記第二の凸部と前記第一の凹部とがすれ違い凹凸係合しないように構成したことを特徴とする請求項５記載の連結装置。
【請求項７】
前記カム部が前記カム係合部から係脱した回動領域では、前記係合付勢機構による押圧力で前記カム部の凸部の頂部がカム係合部の凹部に隣接する摺動用当接部に当接して、前記カム部と前記カム係合部との相対回動を停止した位置でこの停止状態を保持するフリーストップを実現するように構成したことを特徴とする請求項５，６のいずれか１項に記載の連結装置。
【請求項８】
前記ガイド部のガイド面に沿ってスライドする係合凸部若しくは係合凹部を前記スライド連結体のスライド端部に設け、前記係合凸部若しくは係合凹部が係合付勢機構の付勢を伴い係合することで、前記ガイド部に対する前記スライド端部のスライド位置が係合保持される係合凹部若しくは係合凸部を、前記ガイド部のガイド面に設けたことを特徴とする請求項１〜７のいずれか１項に記載の連結装置。
【請求項９】
前記ガイド部は、板材の側縁に立ち上げ部を形成して長さ方向に凹溝を設けたガイドレールとして構成し、前記スライド連結体のスライド連結部は、前記ガイド部をガイドとしてこのガイド部にスライド自在に係合するスライド体として構成したことを特徴とする請求項１〜８のいずれか１項に記載の連結装置。
【請求項１０】
上面にディスプレイ部又は操作部を設けた本体部に、上面にディスプレイ部又は操作部を設けた重合部をスライド自在に重合し、この本体部若しくは重合部を前記第一部材若しくは前記第二部材として前記請求項１〜９のいずれか１項に記載の連結装置によって重合連結したことを特徴とする連結装置を用いた電子機器。
【発明の詳細な説明】
【技術分野】
【０００１】
本発明は、連結装置並びに連結装置を用いた電子機器に関するものである。
【背景技術】
【０００２】
例えば従来の折り畳み式の携帯電話・モバイル・パソコンあるいはゲーム機は、数字キーやファンクションキーを配列した操作部を下側となる本体部の上面側に設け、この操作部のキー操作などにより所定の表示がなされる液晶パネルなどのディスプレイ部を上側となる重合部の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して反転し、操作部とディスプレイ部とが露出した開放状態に切り換えできるように構成している。
【０００３】
そのため、従来このような起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、操作部を操作する場合には、ディスプレイ部を設けた重い重合部を立ち起こし反転回動させなければならず、この開閉動作（特に開放動作）させづらい欠点もある。
【０００５】
そこで、起伏回動により開閉動作するのではなく、重合面に沿って前後方向に重合部をスライド移動して開閉動作するように構成すれば、重合部の上面にディスプレイ部を設けることができ、例えば不使用時あるいはキー操作不要時に重合した際においても、言い換えるとたとえディスプレイ部を設けた重合部を本体部に重合して操作部を隠蔽したコンパクト化状態においても、ディスプレイ部が上面に配設され、ディスプレイ部を視認したり、機能させたりすることが可能となり、また重合してコンパクト化した状態から操作部あるいは操作部や第二ディスプレイ部も露出した状態に切り換える場合は、重合面に沿って前後方向に重合部をスライド移動することで行なえるため、この開放動作も非常に容易に行なえ、機器装置として使用用途が広がり、しかも前記開閉動作も容易となる携帯電話，モバイル・パソコン・ゲーム機などの電子機器となる。
【０００６】
このようにスライド開閉方式に構成する場合には、本体部（第一部材）と重合部（第二部材）とをスライド自在に連結するスライド装置を用いることになるが、本体部の操作部を重合部で隠蔽した重合閉塞位置と、重合部を位置ズレするように前後方向へスレ違いスライドさせて操作部や第二ディスプレイ部を露出させたスライド開放位置とで位置決め保持（クリック係合）するように構成することが望ましい。
【発明の概要】
【発明が解決しようとする課題】
【０００７】
本発明は、更に画期的な着想に基づき、第一部材と第二部材とがスライド（重合面方向のスライド）によって、互いにスライド方向に直列に並設した状態となるように切り換え自在なスライド装置を提供し、よって例えば上側の部材をスライドさせることで上側の部材の上面の画面だけ露出した１画面露出状態から下側の部材の上面の画面も露出した２画面露出状態にスライド変更でき、更に、例えば第一部材の端部と第二部材の端部を可及的に近づけた状態とすることができる為、２画面を可及的に近づけた状態とすることができ、２画面の中に一つの連続した画像や映像を表示した場合でも綺麗に表示することが出来るなど、これらの状態が単なるスライド往復動作によって行うことで実現できる画期的な連結装置並びに連結装置を用いた電子機器を提供することを目的としている。
【課題を解決するための手段】
【０００８】
添付図面を参照して本発明の要旨を説明する。
【０００９】
第一部材１と第二部材２とを上下重合状態に設ける連結装置であって、前記第一部材１に対して前記第二部材２を重合面方向に相対スライド自在に連結するスライド連結体５を具備し、このスライド連結体５の一端部に、前記第一部材１と前記第二部材２のいずれか一方に回動自在に固定連結する固定連結部６を設けると共に、この一方に固定連結する固定連結部６を支点に回動自在に設けた前記スライド連結体５の他端部に、他方に設けたガイド部４にスライド自在にして回動自在に連結するスライド連結部７を設け、前記第一部材１の上側に重合した状態でスライドする前記第二部材２を、前記第一部材１の所定位置までスライドさせた際、前記スライド連結体５が前記固定連結部６を支点に回動して前記第一部材１に対して前記第二部材２が旋回移動した後、前記第一部材１と前記第二部材２とが互いにスライド方向に直列に並設した状態で保持されるように、前記スライド連結体５を介して前記第一部材１に対して前記第二部材２が回動自在に連結するリンク連結構成としたことを特徴とする連結装置に係るものである。
【００１０】
また、前記スライド連結体５は、前記第一部材１の上面を前記第二部材２が隠蔽する重合閉塞状態から該第一部材１の上面を露出する方向にスライドさせた際、前記第一部材１に対して旋回移動する第二部材２をリンク支持するリンク部材であり、このスライド連結体５の一端部に第一連設部６を設け他端部に第二連設部７を設け、前記第一連設部６を前記第一部材１に直接若しくは該第一部材１に設けた第一取付部８に枢着し、前記第二連設部７を前記第二部材２に直接若しくは該第二部材２に設けた第二取付部９にスライド自在に枢着し、前記第一部材１に対する前記第二部材２のスライド相対移動に伴って、前記第二連設部７が前記第二取付部９に設けた前記ガイド部４をスライドし、このガイド部４のスライド端部に当接して前記第二連設部７のスライドが停止した際、前記第二部材２のスライドによって前記第二連設部７を上方に押上げるように、前記第一連設部６を支点として前記スライド連結体５が回動して前記第一部材１に対して前記第二部材２が旋回移動した後、前記第一部材１と前記第二部材２とが互いにスライド方向に直列に並設した状態で保持されるように、前記スライド連結体５を介して前記第一部材１に対して前記第二部材２が回動自在に連結するリンク連結構成としたことを特徴とする請求項１記載の連結装置に係るものである。
【００１１】
また、前記スライド連結体５は、前記第一部材１の上面を前記第二部材２が隠蔽する重合閉塞状態から該第一部材１の上面を露出する方向にスライドさせた際、前記第一部材１に対して旋回移動する第二部材２をリンク支持するリンク部材であり、このスライド連結体５の一端部に第一連設部６を設け他端部に第二連設部７を設け、前記第一連設部６を前記第一部材１に直接若しくは該第一部材１に設けた第一取付部にスライド自在に枢着し、前記第二連設部７を前記第二部材２に直接若しくは該第二部材２に設けた第二取付部に枢着し、前記第一部材１に対する前記第二部材２のスライド相対移動に伴って、前記第一連設部６が前記第一取付部に設けた前記ガイド部４をスライドし、このガイド部４のスライド端部に当接して前記第一連設部６のスライドが停止した際、前記第二部材２のスライドによって前記第二連設部７を上方に押上げるように、前記第一連設部６を支点として前記スライド連結体５が回動して前記第一部材１に対して前記第二部材２が旋回移動した後、前記第一部材１と前記第二部材２とが互いにスライド方向に直列に並設した状態で保持されるように、前記スライド連結体５を介して前記第一部材１に対して前記第二部材２が回動自在に連結するリンク連結構成としたことを特徴とする請求項１記載の連結装置に係るものである。
【００１２】
また、前記第一部材１と前記第二部材２とが互いにスライド方向に直列に並設した状態とした際、前記第一部材１の端部と前記第二部材２の端部とが当接若しくは近接する状態となるように前記スライド連結体５の長さが設定されていることを特徴とする請求項１〜３のいずれか１項に記載の連結装置に係るものである。
【００１３】
また、前記第一連設部６及び前記第二連設部７夫々は、回動軸部10，11を軸に互いに相対回動自在に設けられるカム部12，13と、カム係合部14，15とを有し、このカム部12，13に設けた凸部とカム係合部14，15に設けた凹部とが相対回動によって互いに係合付勢機構Ｓ１，Ｓ２の付勢を伴い係合することでその回動位置が係合保持されるように構成した枢着連結構造であり、前記カム部12，13に設けた第一の凸部12ａ，13ａが係合する第一の凹部14ａ，15ａを前記カム係合部14，15に設け、前記第一の凸部12ａ，13ａと前記第一の凹部14ａ，15ａとが係合若しくは係合途中となるときに同様に係合若しくは係合途中となる第二の凸部12ｂ，13ｂと第二の凹部14ｂ，15ｂを前記カム部12，13と前記カム係合部14，15に設け、前記第一の凸部12ａ，13ａ及びこれと係合する前記第一の凹部14ａ，15ａの相対回動軌跡位置を決定するこれらの形成位置の相対回動中心からの距離と、前記第二の凸部12ｂ，13ｂとこれと係合する前記第二の凹部14ｂ，15ｂの相対回動軌跡位置を決定するこれらの位置の相対回動中心からの距離とが異なるように設定して、前記第一，第二の双方の凸部12ａ，13ａ，12ｂ，13ｂと前記第一，第二の双方の凹部14ａ，15ａ，14ｂ，15ｂとは夫々係合若しくは係合途中となるが、前記カム部12，13と前記カム係合部14，15が相対回動した際、前記第一の凸部12ａ，13ａ及び前記第二の凸部12ｂ，13ｂは前記第一の凹部14ａ，15ａ及び前記第二の凹部14ｂ，15ｂには夫々落ち込まずに夫々の周辺を通過して係合しないように構成したことを特徴とする連結装置に係るものである。
【００１４】
また、前記第一の凸部12ａ，13ａ及びこれと１８０度相対位置に設けた前記第二の凸部12ｂ，13ｂの形成位置と、前記第一の凹部14ａ，15ａ及びこれと１８０度相対位置に設けた前記第二の凹部14ｂ，15ｂの形成位置との相対回動中心からの距離を異ならせて、前記第一，第二の双方の凸部12ａ，13ａ，12ｂ，13ｂと前記第一，第二の双方の凹部14ａ，15ａ，14ｂ，15ｂとが係合若しくは係合途中となるが、前記カム部12，13と前記カム係合部14，15が相対回動した際、前記第一の凸部12ａ，13ａと前記第二の凹部14ｂ，15ｂとはすれ違い、且つ、前記第二の凸部12ｂ，13ｂと前記第一の凹部14ａ，15ａとがすれ違い凹凸係合しないように構成したことを特徴とする請求項５記載の連結装置に係るものである。
【００１５】
また、前記カム部12，13が前記カム係合部14，15から係脱した回動領域では、前記係合付勢機構Ｓ１，Ｓ２による押圧力で前記カム部12，13の凸部の頂部がカム係合部14，15の凹部に隣接する摺動用当接部に当接して、前記カム部12，13と前記カム係合部14，15との相対回動を停止した位置でこの停止状態を保持するフリーストップを実現するように構成したことを特徴とする請求項５，６のいずれか１項に記載の連結装置に係るものである。
【００１６】
また、前記ガイド部４のガイド面に沿ってスライドする係合凸部16若しくは係合凹部を前記スライド連結体５のスライド端部に設け、前記係合凸部16若しくは係合凹部が係合付勢機構Ｓ３の付勢を伴い係合することで、前記ガイド部４に対する前記スライド端部のスライド位置が係合保持される係合凹部17若しくは係合凸部を、前記ガイド部４のガイド面に設けたことを特徴とする請求項１〜７のいずれか１項に記載の連結装置に係るものである。
【００１７】
また、前記ガイド部４は、板材の側縁に立ち上げ部を形成して長さ方向に凹溝を設けたガイドレールとして構成し、前記スライド連結体５のスライド連結部７は、前記ガイド部４をガイドとしてこのガイド部４にスライド自在に係合するスライド体として構成したことを特徴とする請求項１〜８のいずれか１項に記載の連結装置に係るものである。
【００１８】
また、上面にディスプレイ部18Ａ又は操作部を設けた本体部に、上面にディスプレイ部18Ｂ又は操作部を設けた重合部をスライド自在に重合し、この本体部若しくは重合部を前記第一部材１若しくは前記第二部材１として前記請求項１〜９のいずれか１項に記載の連結装置によって重合連結したことを特徴とする連結装置を用いた電子機器に係るものである。
【発明の効果】
【００１９】
本発明は上述のように構成したから、第一部材と第二部材とがスライド（重合面方向のスライド）によって、互いにスライド方向に直列に並設した状態となるように切り換え自在なスライド装置を提供し、よって例えば上側の部材をスライドさせることで上側の部材の上面の画面だけ露出した１画面露出状態から下側の部材の上面の画面も露出した２画面露出状態にスライド変更でき、更に、例えば第一部材の端部と第二部材の端部を可及的に近づけた状態とすることができる為、２画面を可及的に近づけた状態とすることができ、２画面の中に一つの連続した画像や映像を表示した場合でも綺麗に表示することが出来るなど、これらの状態が単なるスライド往復動作によって行うことで実現できる画期的な連結装置並びに連結装置を用いた電子機器となる。
【図面の簡単な説明】
【００２０】
【図１】本実施例の使用状態説明図である。
【図２】本実施例の使用状態説明図である。
【図３】本実施例の使用状態説明図である。
【図４】本実施例の使用状態説明図である。
【図５】本実施例の使用状態説明図である。
【図６】本実施例を示す分解斜視図である。
【図７】本実施例を示す分解斜視図である。
【図８】本実施例を示す分解斜視図である。
【図９】本実施例に係る要部の説明斜視図である。
【図１０】本実施例に係る要部の説明正面図である。
【図１１】本実施例に係る要部の説明正面図である。
【図１２】本実施例に係る要部の説明正面図である。
【図１３】本実施例に係る要部の説明斜視図である。
【図１４】本実施例に係る要部の説明斜視図である。
【図１５】本実施例に係る要部の説明正面図である。
【図１６】本実施例に係る要部の説明正面図である。
【図１７】本実施例に係る要部の説明正面図である。
【図１８】本実施例に係る要部の説明正面図である。
【図１９】本実施例に係る要部の動作説明図である。
【図２０】本実施例に係る要部の動作説明図である。
【図２１】本実施例に係る要部の動作説明図である。
【図２２】本実施例に係る要部の動作説明図である。
【図２３】本実施例に係る要部の動作説明図である。
【図２４】本実施例に係る要部の動作説明図である。
【図２５】本実施例に係る要部の動作説明図である。
【図２６】本実施例に係る要部の動作説明図である。
【図２７】本実施例に係る要部の動作説明図である。
【発明を実施するための形態】
【００２１】
好適と考える本発明の実施形態（発明をどのように実施するか）を、図面に基づいて本発明の作用を示して簡単に説明する。
【００２２】
本発明は、例えば図７に示すように上下に重合する第一部材１と第二部材２とはスライド連結体５によってスライド自在に連結されているため、下側の部材に対して上側の部材をスライド往復できるが、このスライド連結体５を介して第一部材１に対して第二部材２が回動自在に連結するリンク連結構成となっているため、スライド端までスライドして上側の部材が旋回移動して下側の部材の側方まで行き、第一部材１と第二部材２とが互いにスライド方向に直列に並設した状態となる。
【００２３】
即ち、回動自在にして一方の部材のガイド部４にスライド自在に係合連結したスライド連結体５によるリンク連結構成と、ガイド部４の設定によって、下側の部材に対して上側の部材をスライドしてスライド端で旋回して下側の部材の側方に並設することができ、この一方の部材のスライド往復や双方の部材の夫々のスライドによって重合状態から並設状態に切り替えることができる。
【００２４】
従って、例えば上側の部材の上面の画面だけ露出した１画面露出状態から上側の部材をスライドさせることで下側の部材の上面の画面も露出した２画面露出状態にスライド変更でき、この重合状態から並設状態への切り換えは第一部材１に対する第二部材２の単なるスライド動作によって実現できる画期的な連結装置となる。
【００２５】
ところで、本発明は、第一部材１に対する第二部材２の重合状態から並設状態への切り換えは、第一部材１と第二部材２との間にリンクするスライド連結体５におけるスライドと回転を組み合わせて達成している。
【００２６】
仮に第一部材１と第二部材２との間に介するリンク部材をスライドさせずに回転のみでも第一部材１に対する第二部材２の重合状態から並設状態への切り替えは達成できるが、例えばリンク部材が長くなってしまい、第一部材に対して第二部材が大きく旋回移動してしまう為に操作性が悪く、しかも、強度が悪く、しかも、第一部材１に対して第二部材２を重合状態とした際のリンク部材を収納する部位を大きくする必要がある。
【００２７】
この点、本発明は、前述した構成とすることで、極めて操作性が良く、スライド連結体５が短くて済むことになる為、このスライド連結体５を収納する部位が小さくても良いことになる。
【実施例】
【００２８】
本発明の具体的な一実施例について図面に基づいて説明する。
【００２９】
本実施例は、図１〜４に図示したように重合コンパクト化の図れる携帯形パソコンやモバイル（スマートフォン）あるいはゲーム機として使用できる電子機器に本発明を適用したもので、回路基板，電源などの電子部品をケースに内装した横長厚板状の第一部材１の上面側に横長のディスプレイ部18Ａを設け、この第一部材１に重合してディスプレイ部18Ａを覆う略同形の横長厚板状の第二部材２を短辺方向である水平前後方向にスライド自在となるように、左右両端部位置にて一対の連結装置Ｘにより連結した構成としている。
【００３０】
また、この第二部材２の上面側にも横長のディスプレイ部18Ｂを設けている。
【００３１】
本実施例では、第一部材１と第二部材２とを上下重合状態にして重合配設し、第一部材１を本体部とし、第二部材２を重合部とし、第一部材１と第二部材２とを夫々重合面方向に相対スライド自在に重合した構成としている。
【００３２】
図５〜８に図示したようにこの第一部材１に対して第二部材２を重合面方向に相対スライド自在に連結するスライド連結体５を具備し、このスライド連結体５の一端部に、第一部材１と第二部材２のいずれか一方に回動自在に固定連結する固定連結部６を設けると共に、この一方に固定連結する固定連結部６を支点に回動自在に設けたスライド連結体５の他端部に、他方に設けたガイド部４にスライド自在にして回動自在に連結するスライド連結部７を設け、第一部材１の上側に重合した状態でスライドする第二部材２を、第一部材１の所定位置までスライドさせた際、スライド連結体５が固定連結部６を支点に回動して第一部材１に対して第二部材２が旋回移動した後、第一部材１と第二部材２とが互いにスライド方向に直列に並設した状態で保持されるように、スライド連結体５を介して第一部材１に対して第二部材２が回動自在に連結するリンク連結構成とし、第一部材１と第二部材２の重合状態がスライドにより並設状態に切換自在に重合連結した構成としている。
【００３３】
具体的には、スライド連結体５は、第一部材１の上面（ディスプレイ部18Ａ）を第二部材２が隠蔽する重合閉塞状態から該第一部材１の上面を露出する方向にスライドさせた際、第一部材１に対して旋回移動する第二部材２をリンク支持するリンク部材である。
【００３４】
このスライド連結体５は適宜な金属製の板材で形成したものであり、本実施例では、後述する第二取付部９に対して挟持状態にしてスライド自在に連設する一対のアーム部材５Ａで構成されている。
【００３５】
また、スライド連結体５は、第一部材１と第二部材２とが互いにスライド方向に直列に並設した状態とした際、第一部材１の端部と第二部材２の端部とが当接若しくは近接する状態となるようにスライド連結体５の長さが設定されている。
【００３６】
また、このスライド連結体５の一端部に固定連結部６としての第一連設部６を設け、他端部にスライド連結部７としての第二連設部７を設け、第一連設部６を第一部材１に直接若しくは該第一部材１に設けた第一取付部８にスライド不能に枢着し、第二連設部７を第二部材２に直接若しくは該第二部材２に設けた第二取付部９にスライド自在に枢着している。尚、第一連設部６を第一部材１に直接若しくは該第一部材１に設けた第一取付部８にスライド自在に枢着し、第二連設部７を第二部材２に直接若しくは該第二部材２に設けた第二取付部９にスライド不能に枢着しても良い。
【００３７】
本実施例では、スライド連結体５の一端部に設けた第一連設部６を第一部材１に連結される第一取付部８に枢着し、他端部に設けた第二連設部７を第二部材２に連結される第二取付部９にスライド自在にして回動自在に設けている。
【００３８】
第一取付部８は適宜な金属製の板材を折曲形成したものであり、一端部は第一部材１に連結され、他端部は後述するスライド連結体５の第一連設部６に連結される。
【００３９】
第二取付部９は、適宜な金属製の板材の側縁に立ち上げ部を形成して長さ方向に断面コ字状のガイド部４を設けたガイドレールとして構成し、スライド連結体５の第二連設部７（スライド連結部７）は、このガイド部４にスライド自在に係合するスライド体として構成されている。
【００４０】
具体的には、第二連設部７にはガイド部４をスライドするスライド部材20が設けられており、このスライド部材20に後述するクリック係止部21と、回動軸部11，カム部13及びカム係合部15を有する枢着連結構造を設けている。符号19は合成樹脂製の摺動部材である。
【００４１】
このスライド部材20に対してスライド連結体５のアーム部材５Ａを挟持状態に連結しており、スライド連結体５はこのスライド部材20を介してガイド部４に対してスライド自在に設けられている。
【００４２】
クリック係止部21は、ガイド部４のガイド面に沿ってスライドする係合凸部16（若しくは係合凹部）を、スライド連結体５のスライド端部（スライド部材21）に設けられるスライド材16Ａに設け、この係合凸部16（若しくは係合凹部）が係合付勢機構Ｓ３（複数の皿バネ）の付勢を伴い係合することで、ガイド部４に対するスライド端部のスライド位置が係合保持される係合凹部17（若しくは係合凸部）を、ガイド部４のガイド面にして左右のスライド両端位置に設けて構成されている。スライド板材16Ａは係合付勢機構Ｓ３に付勢されて常に第二取付部９の裏面にして係合凹部17が設けられる面に圧接している。
【００４３】
従って、第一部材１に対する第二部材２のスライド相対移動に伴って、第二連設部７が第二取付部９に設けたガイド部４をスライドし、このガイド部４のスライド端部に当接して第二連設部７のスライドが、係合付勢機構Ｓ３を介して行われる係合凸部16と係合凹部17とのクリック係合により位置決め停止する。更に、この際、第二部材２に対してスライド方向に力を与えると、第二連設部７を上方に押上げるように、固定連結部６としての第一連設部６を支点としてスライド連結体５が回動して第一部材１に対して第二部材２が旋回移動した後、第一部材１と第二部材２とが互いにスライド方向に直列に並設した状態となる。この際、第一部材１の上面（ディスプレイ部18Ａ）と第二部材２の上面（ディスプレイ部18Ｂ）とが面一となるようにスライド連結体５における第一取付部６に対する回動が規制されている。
【００４４】
また、本実施例では、第一部材１と第二部材２とが互いにスライド方向に直列に並設した状態とした際、第一部材１の上面（ディスプレイ部18Ａ）と第二部材２の上面（ディスプレイ部18Ｂ）とが面一となることに加え、第一部材１の下面と第二部材２の下面も面一となるように、筐体としての第一部材１及び第二部材２の厚みが設定されている。
【００４５】
従って、第一部材１と第二部材２とが互いにスライド方向に直列に並設した状態として載置した際、第一部材１の下面と第二部材２の下面がフラットなためガタガタしない。
【００４６】
また、スライド連結体５の両端に設けられる第一連設部６及び第二連設部７夫々は、図９〜18に図示したように、回動軸部10，11に被嵌され該回動軸部10，11を軸に互いに相対回動自在に設けられる板材に設けたカム部12，13と、板材に設けたカム係合部14，15とを有し、このカム部12，13に設けた凸部とカム係合部14，15に設けた凹部とが相対回動によって互いに係合付勢機構Ｓ１，Ｓ２（複数の皿バネ）の付勢を伴い係合することでその回動位置が係合保持されるように構成した枢着連結構造である。
【００４７】
具体的には、カム部12，13に設けた第一の凸部12ａ，13ａが係合する第一の凹部14ａ，15ａ夫々をカム係合部14，15の所定の回動角度位置に一対設け、また、カム部12，13に設けた第二の凸部12ｂ，13bが係合する第二の凹部14ｂ，15ｂ夫々をカム係合部14，15の所定の回動角度位置に一対設け、第一の凸部12ａ，13ａと第一の凹部14ａ，15ａとが係合若しくは係合途中となるときに同様に、第二の凸部12ｂ，13ｂと第二の凹部14ｂ，15ｂとが係合若しくは係合途中となるように設け、第一の凸部12ａ，13ａ及びこれと係合する第一の凹部14ａ，15ａの相対回動軌跡位置を決定するこれらの形成位置の相対回動中心からの距離と、第二の凸部12ｂ，13ｂとこれと係合する第二の凹部14ｂ，15ｂの相対回動軌跡位置を決定するこれらの位置の相対回動中心からの距離とが異なるように設定して、第一，第二の双方の凸部12ａ，13ａ，12ｂ，13ｂと第一，第二の双方の凹部14ａ，15ａ，14ｂ，15ｂとは夫々係合若しくは係合途中となるが、カム部12，13とカム係合部14，15が相対回動した際、第一の凸部12ａ，13ａ及び第二の凸部12ｂ，13ｂは第一の凹部14ａ，15ａ及び第二の凹部14ｂ，15ｂには夫々落ち込まずに夫々の周辺を通過して係合しないように構成している。
【００４８】
更には、第一の凸部12ａ，13ａ及びこれと１８０度相対位置に設けた第二の凸部12ｂ，13ｂの形成位置と、第一の凹部14ａ，15ａ及びこれと１８０度相対位置に設けた第二の凹部14ｂ，15ｂの形成位置との相対回動中心からの距離を異ならせて、第一，第二の双方の凸部12ａ，13ａ，12ｂ，13ｂと第一，第二の双方の凹部14ａ，15ａ，14ｂ，15ｂとが係合若しくは係合途中となるが、カム部12，13とカム係合部14，15が相対回動した際、第一の凸部12ａ，13ａと第二の凹部14ｂ，15ｂとはすれ違い、且つ、第二の凸部12ｂ，13ｂと第一の凹部14ａ，15ａとがすれ違い凹凸係合しないように構成している。
【００４９】
従って、第一連設部６においては、第一部材１に対して第二部材２が重合閉塞状態の際、第一の凸部12ａ，第二の凸部12ｂと一側の第一の凹部14ａ，第二の凹部14ｂとは係合若しくは係合途中となり、第一部材１に対して第二部材２が旋回移動した際、カム部12とカム係合部14が相対回動することで第一の凸部12ａ，第二の凸部12ｂと一側の第一の凹部14ａ，第二の凹部14ｂとは係脱し、第一部材１と第二部材２とが互いにスライド方向に直列に並設した状態となった際、第一の凸部12ａ，第二の凸部12ｂと他側の第一の凹部14ａ，第二の凹部14ｂとは係合若しくは係合途中となる。
【００５０】
また、第二連設部７においては、第一部材１に対して第二部材２が重合閉塞状態の際、第一の凸部13ａ，第二の凸部13ｂと一側の第一の凹部15ａ，第二の凹部15ｂとは係合若しくは係合途中となり、第一部材１に対して第二部材２が旋回移動した際、カム部13とカム係合部15が相対回動することで第一の凸部13ａ，第二の凸部13ｂと一側の第一の凹部15ａ，第二の凹部15ｂとは係脱し、第一部材１と第二部材２とが互いにスライド方向に直列に並設した状態となった際、第一の凸部13ａ，第二の凸部13ｂと他側の第一の凹部15ａ，第二の凹部15ｂとは係合若しくは係合途中となる。
【００５１】
また、本実施例は、カム部12，13がカム係合部14，15から係脱した回動領域では、係合付勢機構Ｓ１，Ｓ２による押圧力でカム部12，13の凸部の頂部がカム係合部14，15の凹部に隣接する平坦状の摺動用当接部に当接して、カム部12，13とカム係合部14，15との相対回動を停止した位置でこの停止状態を保持するフリーストップを実現するように構成している。
【００５２】
従って、この第一連設部６及び第二連設部７夫々のカム部12，13とカム係合部14，15との凹凸係合により、図19〜26に図示したように、第一部材１に対して第二部材２が重合状態から、第一部材１と第二部材２とが互いにスライド方向に直列に並設した状態となるまで、第一部材１に対して第二部材２を旋回移動させる際、常に第二部材２は水平状態を維持しながら旋回移動させることが可能となり、その他、図27に示すようにチルトアップ動作も可能となる。
【００５３】
符号22は第一取付部８に対してスライド連結部材５を回動させた際、板状のカム部12を回動せしめる軸状の作用部である。
【００５４】
本実施例は上述のように構成したから、第一部材１と第二部材２とがスライド（重合面方向のスライド）によって、互いにスライド方向に直列に並設した状態となるように切り換え自在なスライド装置を提供し、よって第二部材２をスライドさせることで第二部材２の上面のディスプレイ部18Ｂだけ露出した１画面露出状態から第一部材１の上面のディスプレイ部18Ａも露出した２画面露出状態にスライド変更でき、更に、第一部材１の端部と第二部材２の端部を可及的に近づけた状態とすることができる為、２画面を可及的に近づけた状態とすることができ、２画面の中に一つの連続した画像や映像を表示した場合でも綺麗に表示することが出来るなど、これらの状態が単なるスライド往復動作によって行うことで実現できる。
【００５５】
尚、本発明は、本実施例に限られるものではなく、各構成要件の具体的構成は適宜設計し得るものである。
【符号の説明】
【００５６】
Ｓ１  係合付勢機構
Ｓ２  係合付勢機構
Ｓ３  係合付勢機構
１  第一部材
２  第二部材
４  ガイド部
５  スライド連結体
６  固定連結部・第一連設部
７  スライド連結部・第二連設部
８  第一取付部
９  第二取付部
10  回動軸部
11  回動軸部
12  カム部
12ａ  第一の凸部
12ｂ  第二の凸部
13  カム部
13ａ  第一の凸部
13ｂ  第二の凸部
14  カム係合部
14ａ  第一の凹部
14ｂ  第二の凹部
15  カム係合部
15ａ  第一の凹部
15ｂ  第二の凹部
16  係合凸部
17  係合凹部
18Ａ  ディスプレイ部
18Ｂ  ディスプレイ部
【図１】
2012248761.tif 000003
【図２】
2012248761.tif 000004
【図３】
2012248761.tif 000005
【図４】
2012248761.tif 000006
【図５】
2012248761.tif 000007
【図６】
2012248761.tif 000008
【図７】
2012248761.tif 000009
【図８】
2012248761.tif 000010
【図９】
2012248761.tif 000011
【図１０】
2012248761.tif 000012
【図１１】
2012248761.tif 000013
【図１２】
2012248761.tif 000014
【図１３】
2012248761.tif 000015
【図１４】
2012248761.tif 000016
【図１５】
2012248761.tif 000017
【図１６】
2012248761.tif 000018
【図１７】
2012248761.tif 000019
【図１８】
2012248761.tif 000020
【図１９】
2012248761.tif 000021
【図２０】
2012248761.tif 000022
【図２１】
2012248761.tif 000023
【図２２】
2012248761.tif 000024
【図２３】
2012248761.tif 000025
【図２４】
2012248761.tif 000026
【図２５】
2012248761.tif 000027
【図２６】
2012248761.tif 000028
【図２７】
2012248761.tif 000029